(57)【特許請求の範囲】
【請求項１】
警戒、解除を設定するための防犯操作装置と、
防犯操作装置と信号線によって接続されると共に、電話回線等の通信回線を介して監視センターと接続されてなる非常通報装置と
を備える非常通報システムにおいて、
非常通報装置は、
操作者の識別番号を入力する操作手段と、
防犯操作装置が警戒の解除が設定された旨の信号を信号線に設定した場合には、当該信号を受けてから予め定められた所定の時間内に操作手段によって登録されている暗証番号の入力操作が行われた場合に限り、入力された暗証番号及び警戒を解除した旨を通信回線を介して監視センターに通報し、警戒が解除されている状態において操作手段によって登録されている暗証番号が入力された場合には入力された暗証番号及び警戒状態になった旨を通信回線を介して監視センターに通報する制御手段と
を備えることを特徴とする非常通報システム。
【発明の詳細な説明】
【０００１】
【発明の属する技術分野】
本発明は、侵入者があった場合等、所定の異常が発生したときに通信回線を介して監視センターに通報する非常通報システムに係り、特に警戒、解除を設定するための防犯操作装置を備えた非常通報システムに関する。
【０００２】
【従来の技術】
熱線センサ等の防犯センサによって異常を検知した場合に電話回線等の通信回線を介して異常事態が発生した旨を通報するものとして非常通報システムが知られている。
【０００３】
非常通報システムは種々の構成を採ることができるが、安価なシステム構成として図１に示す構成が知られている。なお、図１において、１は防犯操作装置、２は制御部、３はカード読み取り部、１０は非常通報装置、１１は制御部、１２はテンキー、１３は回線制御部、１５は防犯操作装置１の制御部２から非常通報装置１０の制御部１１への信号線、１６は非常通報装置１０の制御部１１から防犯操作装置１の制御部２への信号線、１７は通信回線を示す。
【０００４】
防犯操作装置１は警戒、警戒の解除を設定するための装置であり、当該分野においては広くリモコンと通称されているものである。そして、この防犯操作装置１は出入口の屋外側に設置されている。
【０００５】
なお、図１においては防犯操作装置１は１個しか示されていないが、これは図面が煩雑になることを避けるために代表的に１個で示しているに過ぎないものであって、複数個の防犯操作装置１を用いることが可能であることは当然である。
【０００６】
さて、防犯操作装置１は、ＣＰＵ及びその周辺回路で構成される制御部２、及びカード読み取り部３を備えている。制御部２には、予め登録されているコード番号が記憶されている。
【０００７】
防犯操作装置１の動作を説明すると次のようである。
カード読み取り部３はカードが操作されると、読み取ったコード番号を制御部２に通知する。なお、カードは磁気カードでもよく、ＩＣカードでもよく、光学式のカードでもよい。
【０００８】
そして、制御部２は、警戒の状態にあるときにカード読み取り部３からコード番号が通知されると、当該コード番号が登録されているコード番号であるか否かを判断し、当該コード番号が登録されていないコード番号であった場合には無視するが、登録されているコード番号であった場合には警戒の解除を設定して、信号線１５に警戒解除を示す信号を設定する。
【０００９】
また、制御部２は、警戒が解除されている状態にあるときにカード読み取り部３からコード番号が通知された場合には、当該コード番号が登録されているコード番号であるか否かを判断し、当該コード番号が登録されていないコード番号であった場合には無視するが、登録されているコード番号であった場合には警戒を設定して、信号線１５に警戒を示す信号を設定する。
【００１０】
一方、非常通報装置１０は屋内に設置されており、図１では省略しているが侵入者を検知するための熱線センサ、あるいは窓が開けられたことを検知するマグネットセンサ等の異常を検知するための種々の防犯センサ、及びベルやサイレン等の威嚇装置を備えている。
【００１１】
また、非常通報装置１０は、一般加入電話回線あるいは専用回線からなる通信回線１７を介して、当該非常通報装置１０の設置箇所の警備の委託先である警備会社に設置されている、いわゆるセンター装置と接続されており、そのセンター装置との通信を行うためのものとして回線制御部１３を備えている。
【００１２】
更に、非常通報装置１０は動作遅延機能を有している。動作遅延機能とは、警戒の状態にあるときに防犯センサから異常を示す信号が出力されたとしても、防犯センサから最初の異常を示す信号が出力されてから所定の時間は異常事態が発生したとは判断しない機能、及び、警戒が解除されている状態において警戒状態に入る設定がなされた場合には警戒状態に入る操作がなされた時から所定の時間は防犯センサが異常を示す信号が出力しても異常事態が発生したとは判断しない機能をいう。ここで上記の所定の時間は、出入口から当該非常通報装置１が設置されている個所までの距離に応じて任意に定めることができるが、１０ｓｅｃ  〜６０ｓｅｃ  の範囲で設定されるのが通常である。
【００１３】
従って、防犯センサが異常を示す信号を出力することを発報と称することにすると、非常通報装置１０の制御部１１は、警戒状態にあるときに防犯センサが発報しても、その最初の発報から所定の時間は異常事態が発生したとは判断しない。また、警戒が解除されている状態において、後述するようにテンキー１２によって警戒状態に入る操作がなされた場合には、その操作がなされたときから所定時間内に防犯センサが発報したとしても、異常事態が発生したとは判断しないのである。これが動作遅延機能である。
【００１４】
さて、図１に示す非常通報システムにおいては警戒状態を解除する操作、警戒が解除されている状態から警戒状態に入るための操作は防犯操作装置１で行うこともでき、非常通報装置１０で行うこともできる。
【００１５】
まず、警戒状態を解除するための操作及びそのときの各部の動作について説明する。
【００１６】
警戒状態にあるときに防犯操作装置１のカード読み取り部３においてカードの操作がなされると、制御部２は、このとき読み取られたコード番号が登録されているものである場合には警戒の解除を設定して、信号線１５に警戒解除を示す信号を設定する。
【００１７】
信号線１５に警戒解除を示す信号が設定されると、非常通報装置１０の制御部１０は警戒が解除されたことを認識し、回線制御部１３を起動して防犯操作装置１によって警戒が解除された旨を通信回線１７を介してセンター装置へ通報すると共に、信号線１６に警戒解除を示す信号を設定する。このことによって、防犯操作装置１の制御部２は非常通報装置１０の制御部１１が警戒解除の状態になったことを確認する。
【００１８】
また、警戒を解除するための操作は非常通報装置１０で行うこともでき、この場合には、当該操作者は防犯操作装置１のカード読み取り部３でカードの操作を行うことなく出入口から屋内に入り、非常通報装置１０のテンキーで自分の暗証番号を入力する。
【００１９】
このとき、当該出入口から非常通報装置１０が設置されている箇所までのエリアに視野を有する防犯センサは発報することになるが、制御部１１の動作遅延機能によって防犯センサの最初に発報したときから所定時間は保留されることになり、従って動作遅延機能に設定されている所定時間内に非常通報装置１０のテンキー１２から正規の暗証番号、即ち制御部１１に予め登録されている暗証番号を入力すればよい。
【００２０】
そして、制御部１１は、防犯センサの最初の発報から所定時間内にテンキー１２から正規の暗証番号が入力された場合には警戒が解除されたと判断し、回線制御部１３を起動してこのときテンキー１２から入力された暗証番号を付して警戒が解除された旨をセンター装置へ通報すると共に、信号線１６に警戒解除を示す信号を設定する。
【００２１】
信号線１６に警戒解除を示す信号が設定されると、防犯操作装置１の制御部２は非常通報装置１０の制御部１１が警戒解除の状態になったと判断して信号線１５に警戒解除を示す信号を設定する。
【００２２】
しかし、防犯センサの発報があってから動作遅延機能に設定されている所定時間内にテンキー１２が操作されない場合、及びテンキー１２が操作された場合であっても入力された暗証番号が正規の暗証番号でなかった場合には、制御部１１は動作遅延機能に設定されている所定時間が経過したとき、異常事態が発生したと判断して、威嚇装置を動作させると共に回線制御部１３を起動して保留していた防犯センサの発報をセンター装置へ通報する。
【００２３】
次に、警戒が解除されている状態から警戒に入れるための操作、及びそのときの各部の動作について説明する。
【００２４】
警戒に入れる操作も防犯操作装置１で行うこともでき、非常通報装置１０で行うこともできる。防犯操作装置１で行う場合には、警戒が解除されている状態において出入口から出て防犯操作装置１のカード読み取り部３でカードの操作を行えばよい。このとき制御部２は読み取られたコード番号が登録されているものである場合には警戒を設定して、信号線１５に警戒を示す信号を設定する。
【００２５】
信号線１５に警戒を示す信号が設定されると、非常通報装置１０の制御部１０は警戒の状態が設定されたと認識し、回線制御部１３を起動して防犯操作装置１によって警戒の状態に入った旨をセンター装置へ通報すると共に、信号線１６に警戒を示す信号を設定する。このことによって、防犯操作装置１の制御部２は非常通報装置１０の制御部１１も警戒解除の状態になったことを確認する。
【００２６】
そして、警戒状態に入った後に防犯センサが発報すれば、非常通報装置１０の制御部１１は最初の発報があってから動作遅延機能に設定されている所定時間は当該防犯センサの発報を保留するが、テンキー１２が操作されることなくその所定時間が経過すると異常事態が発生したと判断して威嚇装置を動作させると共に、回線制御部１３を起動して保留していた防犯センサの発報をセンター装置へ通報することになる。
【００２７】
また、上述したように、警戒が解除されている状態から警戒に入るための操作は非常通報装置１０で行うこともでき、この場合には、当該操作者は非常通報装置１０のテンキー１２で自分の暗証番号を入力すればよい。
【００２８】
警戒が解除されている状態においてテンキー１２から正規の暗証番号が入力されると、制御部１１は警戒の状態が設定されたと判断し、回線制御部１３を起動してこのときテンキー１２から入力された暗証番号を付して警戒の状態に入った旨をセンター装置へ通報すると共に、信号線１６に警戒を示す信号を設定する。
【００２９】
信号線１６に警戒を示す信号が設定されると、防犯操作装置１の制御部２は非常通報装置１０の制御部１１が警戒の状態になったと判断して信号線１５に警戒を示す信号を設定する。このことによって制御部１１は防犯操作装置１の制御部２も警戒の状態に入ったことを確認することができる。
【００３０】
しかしこのとき、操作者がテンキー１２で暗証番号を入力してから出入口を出るまでの間に当該エリアに視野を有する防犯センサが発報することになるが、制御部１１の動作遅延機能によって防犯センサの最初に発報したときから所定時間は当該発報は保留されることになり、従って操作者は動作遅延機能に設定されている所定時間内に出入口から出ればよい。
【００３１】
なお、信号線１５、１６の回路は本発明においては本質的な事項ではなく、要するに信号線１５は非常通報装置１０の制御部１１に対して警戒の状態になったか、警戒解除の状態になったかを認識させることができ、信号線１６は防犯操作装置１の制御部２に対して警戒の状態になったか、警戒解除の状態になったかを認識させることができるものであればよく、このような回路は種々に構成できるものであるので詳細な説明は省略する。例えば、一番簡単な構成としては、制御部２は警戒が解除されている状態から警戒に入った場合には信号線１５にハイレベルを出力し、警戒の状態から警戒が解除された場合には信号線１５にローレベルを出力するようにすればよい。信号線１６についても同様である。
【００３２】
【発明が解決しようとする課題】
上述したところから明らかなように、図１に示す従来の非常通報システムにおいては、警戒に入る操作、警戒を解除する操作が非常通報装置１０で行われた場合にはテンキー１２から入力された暗証番号がセンター装置に通報されるので、センター装置側においては誰が警戒に入る操作を行ったか、あるいは誰が警戒を解除する操作を行ったかを確認することができるが、防犯操作装置１において行われた場合にはセンター装置に対しては単に警戒に入る操作あるいは警戒を解除する操作が防犯操作装置１で行われたことが通報されるだけであるのでセンター装置側では誰が操作したかを確認することができないという問題があった。
【００３３】
つまり、近年では警戒に入る操作あるいは警戒を解除する操作が防犯操作装置１で行われた場合にも誰がその操作を行ったかを確認したいという要望が高まってきているのであるが、図１に示す従来の非常通報システムにおいてはその要望に応えることができないという問題があるのである。
【００３４】
これに対して、防犯操作装置の制御部と、非常通報装置の制御部とで通信によってデータの授受を行うようにすれば上記の要望に応えることができる。即ち、防犯操作装置の制御部は警戒に入る操作あるいは警戒を解除する操作が行われた場合に、そのときカード読み取り部で読み取られたコード番号を非常通報装置の制御部に通信で知らせるようにし、非常通報装置の制御部は防犯操作装置の制御部から受けたコード番号をセンター装置に通報するようにすれば、センター装置側では誰が防犯操作装置で操作を行ったかを確認することができる。
【００３５】
しかし、このような防犯操作装置の制御部と非常通報装置の制御部とで通信によってデータの授受を行うシステムは非常に高価であるばかりでなく、新規に非常通報システムを構築する場合には有利ではあっても、既存の非常通報システムに適用することは得策ではない。なぜなら、既存の非常通報システムを上述したような防犯操作装置の制御部と非常通報装置の制御部とで通信によってデータの授受を行うシステムに変更する場合には、既存の防犯操作装置及び非常通報装置を新規なシステムに適合したものと交換し、且つ防犯操作装置と非常通報装置の間に通信回線を敷設する工事を必要とするので、コストが非常に高くなるからである。
【００３６】
そこで、本発明は、上記の課題を解決するものであって、安価な構成で、しかもどのような場合でも警戒に入る操作あるいは警戒を解除する操作を誰が行ったかをセンター装置に通報することができる非常通報システムを提供することを目的とするものである。
【００３７】
【課題を解決するための手段】
上記の目的を達成するために、本発明の非常通報システムは、警戒、解除を設定するための防犯操作装置と、防犯操作装置と信号線によって接続されると共に、電話回線等の通信回線を介して監視センターと接続されてなる非常通報装置とを備える非常通報システムにおいて、非常通報装置は、操作者の識別番号を入力する操作手段と、防犯操作装置が警戒の解除が設定された旨の信号を信号線に設定した場合には、当該信号を受けてから予め定められた所定の時間内に操作手段によって登録されている暗証番号の入力操作が行われた場合に限り、入力された暗証番号及び警戒を解除した旨を通信回線を介して監視センターに通報し、警戒が解除されている状態において操作手段によって登録されている暗証番号が入力された場合には入力された暗証番号及び警戒状態になった旨を通信回線を介して監視センターに通報する制御手段とを備えることを特徴とする。
【００３８】
【発明の実施の形態】
以下、図面を参照しつつ発明の実施の形態について説明する。
本発明に係る非常通報システムのハード的な構成は図１に示すと同じであるが、後述するように操作方法及び非常通報装置１０の制御部１１の動作が異なっている。
【００３９】
まず、警戒状態を解除するための操作及びそのときの各部の動作について説明する。
【００４０】
警戒状態にあるときに防犯操作装置１のカード読み取り部３においてカードの操作がなされると、制御部２は、このとき読み取られたコード番号が登録されているものである場合には警戒の解除を設定して、信号線１５に警戒解除を示す信号を設定する。
【００４１】
信号線１５に警戒解除を示す信号が設定されると、非常通報装置１０の制御部１０は警戒が解除されたことを認識し、信号線１６に警戒解除を示す信号を設定すると共に、動作遅延機能を起動して所定時間待機する。
【００４２】
そしてこの後、この非常通報システムにおいては、操作者には、防犯操作装置１のカード読み取り部３でカードの操作を行った後に出入口から屋内に入り、非常通報装置１０のところに行き、自分に割り当てられた暗証番号をテンキー１２から入力することが要求される。
【００４３】
このとき、当該出入口から非常通報装置１０が設置されている箇所までのエリアに視野を有する防犯センサは発報することになるが、制御部１１の動作遅延機能によって防犯センサが最初に発報したときから所定時間は当該発報は保留されることになる。
【００４４】
そして、動作遅延機能に設定されている所定時間内に非常通報装置１０のテンキー１２から正規の暗証番号が入力された場合には、制御部１１は警戒を解除するための操作が正しく行われたと判断して、回線制御部１３を起動してこのときテンキー１２から入力された暗証番号を付して警戒が解除された旨をセンター装置へ通報する。
【００４５】
また制御部１１は信号線１６に設定されている警戒解除を示す信号をそのまま保持する。これによって、防犯操作装置１の制御部２は正規な手続きによって警戒が解除されたことを認識することができる。
【００４６】
しかし、信号線１５に警戒解除を示す信号が設定されてから動作遅延機能に設定されている所定時間内にテンキー１２から暗証番号が入力されなかった場合、及びテンキー１２が操作された場合であっても入力された暗証番号が正規の暗証番号でなかった場合には、制御部１１は動作遅延機能に設定されている所定時間が経過すると警戒解除の操作が正しく行われなかったと判断して、解除ミスを示す情報を回線制御部１３を起動してセンター装置へ通報すると共に、信号線１６に警戒を示す信号を設定する。
【００４７】
信号線１６に警戒を示す信号が設定されると、これに応じて防犯操作装置１の制御部２は警戒の状態に入り、信号線１５に警戒を示す信号を設定する。
【００４８】
また、警戒を解除するための操作は非常通報装置１０だけで行うこともでき、この場合の操作及び動作は従来の技術の項で説明したと同じであるので説明は省略する。
【００４９】
次に、警戒が解除されている状態から警戒に入れるための操作についてであるが、従来においては警戒に入れるための操作は防犯操作装置１のカード読み取り部３でカードの操作を行うことによっても行うことができたが、この非常通報システムにおいては非常通報装置１０のテンキー１２により行い、従来のように防犯操作装置１におけるカードの操作で行うことはできない。
【００５０】
即ち、この非常通報システムにおいては、警戒が解除されている状態から警戒に入るための操作は非常通報装置１０のテンキー１２で暗証番号を入力する操作を行うだけでよい。
【００５１】
警戒が解除されている状態においてテンキー１２から正規の暗証番号が入力されると、制御部１１は警戒の状態が設定されたと判断し、回線制御部１３を起動してこのときテンキー１２から入力された暗証番号を付して警戒の状態に入った旨をセンター装置へ通報すると共に、信号線１６に警戒を示す信号を設定する。そして、このとき制御部１１は、テンキー１２から正規の暗証番号が入力されると動作遅延機能を起動して所定時間待機し、その所定時間が経過すると警戒の状態に入る。
【００５２】
信号線１６に警戒を示す信号が設定されると、防犯操作装置１の制御部２は非常通報装置１０の制御部１１が警戒の状態になったと判断して信号線１５に警戒を示す信号を設定する。このことによって制御部１１は防犯操作装置１の制御部２も警戒の状態に入ったことを確認する。
【００５３】
なお、このとき、操作者がテンキー１２で暗証番号を入力してから出入口を出るまでの間に当該エリアに視野を有する防犯センサが発報することになるが、制御部１１の動作遅延機能によって防犯センサの最初に発報したときから所定時間は当該発報は保留されることになり、従って操作者は動作遅延機能に設定されている所定時間内に出入口から出ればよいことは上述した通りである。
【００５４】
以上のようであるので、この非常通報システムによれば警戒を解除する場合にも、警戒に入る場合にも必ず非常通報装置１０のテンキー１２から暗証番号を入力することが要求されるので、この入力された暗証番号をセンター装置へ通報することができ、以てセンター装置側では誰が警戒を解除したか、あるいは誰が警戒に入れたかを明確に確認することができる。
【００５５】
また、この非常通報システムのハード構成は従来と全く同じであり、動作の態様だけが異なるので、既存の非常通報システムを変更する場合にも容易に対応することができ、しかもその変更に要するコストは安価である。
【００５６】
以上、本発明の一実施例について説明したが、本発明は上記実施例に限定されるものではなく、種々の変形が可能である。
【００５７】
例えば、上記の実施態様では警戒に入る場合には非常通報装置１０のテンキー１２のみを操作すればよいものとしたが、防犯操作装置１でのカードの操作を組み合わせることも可能である。つまり、まずテンキー１２で暗証番号を入力し、その後所定時間内に防犯操作装置１のカード読み取り部３で正規のコード番号が書き込まれたカードを操作するようにするのである。従ってこの場合には制御部２は信号線１６に警戒を示す信号が設定された場合に即座に警戒の状態に入るのではなく、信号線１６に警戒を示す信号が設定された後に所定時間待機し、その所定時間内に正規のカードが操作された場合にのみ警戒の状態に入り、信号線１５に警戒を示す信号を設定するようにすればよい。
【００５８】
また、この場合、当該所定時間内に正規のカードが操作されなかった場合には制御部２は信号線１５を警戒解除を示す信号を設定し続けることになるが、これに対して制御部１１は信号線１５の信号が所定時間以上警戒解除を示している場合には警戒に入るための操作が正しく行われなかったと判断して、警戒セットミスを示す情報を回線制御部１３を起動してセンター装置へ通報すると共に、信号線１６に警戒を示す信号を設定し直しするようにすればよい。
【図面の簡単な説明】
【図１】非常通報システムの構成例を示す図である。
【符号の説明】
１…防犯操作装置、２…制御部、３…カード読み取り部、１０…非常通報装置、１１…制御部、１２…テンキー、１３…回線制御部、１５、１６…信号線、１７…通信回線。
【図１】
0003565376.tif 000002